(57)【要約】【課題】心耳の根元近傍を結紮した結紮用ループの結び目を、周辺組織を刺激し難い位置に配置する。【解決手段】長手方向に貫通する内孔２を有する管状のループシャフト３と、該ループシャフト３の内孔２に挿入状態に配置され、ループシャフト３の先端において結び目４ｂにより閉じたループ４ａを形成するワイヤからなり、ループシャフト３の基端側において牽引されることによりループ４ａの大きさを縮小可能な結紮用ループ４とを備え、該結紮用ループ４が、自由状態において心耳を挿入可能な大きさの扁平な環状のループ４ａを形成するように癖づけられているとともに、結び目４ｂがループ４ａの長径方向の端部近傍に配置されている心耳結紮用処置具１を提供する。【選択図】図１
2015163174.tif 000002
【特許請求の範囲】
【請求項１】
長手方向に貫通する内孔を有する管状のループシャフトと、
該ループシャフトの前記内孔に挿入状態に配置され、前記ループシャフトの先端において結び目により閉じたループを形成するワイヤからなり、前記ループシャフトの基端側において牽引されることにより前記ループの大きさを縮小可能な結紮用ループとを備え、
該結紮用ループが、自由状態において心耳を挿入可能な大きさの扁平な環状のループを形成するように癖づけられているとともに、前記結び目が前記ループの長径方向の端部近傍に配置されている心耳結紮用処置具。
【請求項２】
長手方向に貫通する内孔を有する管状のループシャフトと、
該ループシャフトの前記内孔に挿入状態に配置され、前記ループシャフトの先端において結び目により閉じたループを形成するワイヤからなり、前記ループシャフトの基端側において牽引されることにより前記ループの大きさを縮小可能な結紮用ループとを備え、
該結紮用ループが、自由状態において心耳を挿入可能な大きさの扁平な環状のループを形成するように癖づけられているとともに、前記結び目が前記ループの短径方向の端部近傍に配置されている心耳結紮用処置具。
【請求項３】
長手方向に貫通する内孔を有する管状のループシャフトと、
該ループシャフトの前記内孔に挿入状態に配置され、前記ループシャフトの先端において結び目により閉じたループを形成するワイヤからなり、前記ループシャフトの基端側において牽引されることにより前記ループの大きさを縮小可能な結紮用ループと、
前記ループシャフトの先端に設けられ、該ループシャフト側から先端に向かって分岐し、心耳を厚さ方向に挟む位置に配置可能な２本の棒状の接触部を有する二股の押し当て部とを備え、
前記結紮用ループの結び目が、前記接触部の分岐点近傍に配置されている心耳結紮用処置具。
【発明の詳細な説明】
【技術分野】
【０００１】
本発明は、心耳結紮用処置具に関するものである。
【背景技術】
【０００２】
従来、心耳を結紮する手技として、シャフトの先端に支持した結紮用ループを周方向に離れた複数点において他の支持部材によって支持することにより、環状に広げながら心耳に回しかけた後に、結紮用ループを引き締めて心耳を結紮する処置具が知られている（例えば、特許文献１参照。）。
他の支持部材はワイヤを螺旋状に巻いた先端部に結紮用ループを引っ掛けて支持しているだけであるため、結紮後に結紮用ループから容易に取り外すことができる。
【先行技術文献】
【特許文献】
【０００３】
【特許文献１】米国特許出願公開第２００８／０２９４１７５号明細書
【発明の概要】
【発明が解決しようとする課題】
【０００４】
しかしながら、心耳を結紮した結紮用ループの結び目は、比較的大きな塊となるとともに、結紮後の切断の仕方によっては結紮用ループの切断面が尖鋭となることもあり、周辺組織を刺激する不都合がある。
本発明は上述した事情に鑑みてなされたものであって、心耳の根元近傍を結紮した結紮用ループの結び目を、周辺組織を刺激し難い位置に配置することができる心耳結紮用処置具を提供することを目的としている。
【課題を解決するための手段】
【０００５】
上記目的を達成するために、本発明は以下の手段を提供する。
本発明の一態様は、長手方向に貫通する内孔を有する管状のループシャフトと、該ループシャフトの前記内孔に挿入状態に配置され、前記ループシャフトの先端において結び目により閉じたループを形成するワイヤからなり、前記ループシャフトの基端側において牽引されることにより前記ループの大きさを縮小可能な結紮用ループとを備え、該結紮用ループが、自由状態において心耳を挿入可能な大きさの扁平な環状のループを形成するように癖づけられているとともに、前記結び目が前記ループの長径方向の端部近傍に配置されている心耳結紮用処置具を提供する。
【０００６】
本態様によれば、心嚢内に導入したループシャフトの先端の結紮用ループのループを心耳に回し掛けた後に、ループシャフトの基端側において結紮用ループを牽引することにより、ループを縮小させて心耳を結紮することができる。この場合において、自由状態で扁平な環状に形成されているループ内に心耳を挿入すると、扁平な心耳に対して扁平なループがその位相を保ったまま挿入されていく。したがって、ループの長径方向の端部近傍に配置された結紮用ループの結び目は、心耳の幅方向の端部近傍に維持されたまま結紮が行われる。
【０００７】
心耳は心臓と心膜との間に心臓の外表面に沿って耳状に延びる袋状の組織であるため、心耳の幅方向の端部近傍には隙間が形成されやすく、他の周辺組織としても血管等の少ない場所となっている。したがって、その位置に結び目が配置されることにより、結び目によって周辺組織が刺激を受けることも少なく、結紮された心耳の厚さが増加することによって広げられた隙間によって、結び目と心膜や心臓表面との摩擦も低減することができる。
【０００８】
また、本発明の他の態様は、長手方向に貫通する内孔を有する管状のループシャフトと、該ループシャフトの前記内孔に挿入状態に配置され、前記ループシャフトの先端において結び目により閉じたループを形成するワイヤからなり、前記ループシャフトの基端側において牽引されることにより前記ループの大きさを縮小可能な結紮用ループとを備え、該結紮用ループが、自由状態において心耳を挿入可能な大きさの扁平な環状のループを形成するように癖づけられているとともに、前記結び目が前記ループの短径方向の端部近傍に配置されている心耳結紮用処置具を提供する。
【０００９】
本態様によれば、心嚢内に導入したループシャフトの先端の結紮用ループのループを心耳に回し掛けた後に、ループシャフトの基端側において結紮用ループを牽引することにより、ループを縮小させて心耳を結紮することができる。この場合において、自由状態で扁平な環状に形成されているループ内に心耳を挿入し、ループシャフトの先端を、心耳の先端側から根元側に向かって、心耳と心膜との隙間を、心耳の幅方向の中央近傍に沿って進行させると、扁平な心耳に対して扁平なループがその位相を保ったまま引きずられるようにして挿入されていく。したがって、ループの心耳への挿入作業が容易である。
【００１０】
また、結紮の際に、ループシャフトの先端をさらに進行させて、心耳の幅方向の端部近傍に配置することにより、結紮用ループの結び目を、心耳の幅方向の端部近傍に配置して心耳を結紮することができる。したがって、その位置に結び目が配置されることにより、結び目によって周辺組織が刺激を受けることも少なく、結紮された心耳の厚さが増加することによって広げられた隙間によって、結び目と心膜や心臓表面との摩擦も低減することができる。
【００１１】
また、本発明の他の態様は、長手方向に貫通する内孔を有する管状のループシャフトと、該ループシャフトの前記内孔に挿入状態に配置され、前記ループシャフトの先端において結び目により閉じたループを形成するワイヤからなり、前記ループシャフトの基端側において牽引されることにより前記ループの大きさを縮小可能な結紮用ループと、前記ループシャフトの先端に設けられ、該ループシャフト側から先端に向かって分岐し、心耳を厚さ方向に挟む位置に配置可能な２本の棒状の接触部を有する二股の押し当て部とを備え、前記結紮用ループの結び目が、前記接触部の分岐点近傍に配置されている心耳結紮用処置具を提供する。
【００１２】
本態様によれば、心嚢内に導入したループシャフトの先端に設けた二股の押し当て部を、その２本の棒状の接触部の間に心耳が挟まれるよう配置するとともに、ループシャフトの先端の結紮用ループのループを心耳に回し掛けた後に、ループシャフトの基端側において結紮用ループを牽引することにより、ループを縮小させて心耳を結紮することができる。この場合において、押し当て部で心耳を厚さ方向に挟んでいるので、挟まれた位置で心耳が窄まされており、緊縮されていく結紮用ループが心耳の先端側に外れないように保持することができる。また、押し当て部およびループを心耳に配置した状態でループシャフトを挿入方向に移動させ、心耳を挟んだ２つの接触部を心房側に押し当てることにより、心耳の根元近傍が露出する。露出した心耳の根元近傍にループを配置することにより、できるだけ心耳の根元側を結紮することが可能となる。
【００１３】
また、心耳を厚さ方向に挟む押し当て部の二股の分岐点近傍は心耳の幅方向の端部近傍に配置されるので、その位置に結び目を配置しておくことにより、結紮後の結び目の位置を心耳の幅方向の端部近傍に配置することができる。これにより、結び目によって周辺組織が刺激を受けることも少なく、結紮された心耳の厚さが増加することによって広げられた隙間によって、結び目と心膜や心臓表面との摩擦も低減することができる。
【発明の効果】
【００１４】
本発明によれば、心耳の根元近傍を結紮した結紮用ループの結び目を、周辺組織を刺激し難い位置に配置することができるという効果を奏する。
【図面の簡単な説明】
【００１５】
【図１】本発明の一実施形態に係る心耳結紮用処置具を示す斜視図である。
【図２】図１の心耳結紮用処置具のループおよび結び目と心耳との関係を示す正面図である。
【図３】図１の心耳結紮用処置具のループを心耳に近接させた状態を示す正面図である。
【図４】図３の状態からループを心耳に回し掛けた状態を示す正面図である。
【図５】図４の状態からループを緊縮して心耳を結紮した状態を示す正面図である。
【図６】図１の心耳結紮用処置具の図５の状態を示す側面図である。
【図７】図１の心耳結紮用処置具の第１の変形例を示す図である。
【図８】図７の心耳結紮用処置具のループを心耳に回し掛けた状態を示す正面図である。
【図９】図７の心耳結紮用処置具のループの結び目を最終的な結紮位置に配置した状態を示す正面図である。
【図１０】図１の心耳結紮用処置具の第２の変形例を示す図である。
【図１１】図１０の心耳結紮用処置具のループを心耳に回し掛けた状態を示す正面図である。
【発明を実施するための形態】
【００１６】
本発明の一実施形態に係る心耳結紮用処置具１について、図面を参照して以下に説明する。
本実施形態に係る心耳結紮用処置具１は、図１に示されるように、長手方向に貫通する内孔２を有する細長い管状のループシャフト３と、該ループシャフト３の内孔２内に挿入状態に収容される結紮用ループ４とを備えている。
【００１７】
ループシャフト３は、体表組織を貫通して先端が心嚢内に配置されるシース（図示略）の形状に倣って湾曲可能であるが、シースの基端側において付与される長手方向の押圧力を伝達可能な剛性を有している。
結紮用ループ４は、ワイヤからなり、ループシャフト３の内孔２を貫通し、両端から外側に延びて配置されている。ループシャフト３の先端側に延びた部分の結紮用ループ４は、1回巻かれて単一のループ４ａを形成した先端を、結び目４ｂを形成して結紮用ループ自体の長さ方向の途中位置に結びつけられている。
【００１８】
結び目４ｂは、ループ４ａが広がる方向には結紮用ループ４を移動させにくい形態を有し、ループシャフト３の基端側に延びている結紮用ループ４の一端を牽引することにより、ループ４ａを小さくする方向に結紮用ループ４を移動させることができるようになっている。
【００１９】
本実施形態においては、結紮用ループ４のループ４ａが、図１に示されるように、重力以外の外力の作用しない自由状態において扁平な環状に形成されるように癖づけられている。ループ４ａの環状の短径の大きさは、図２に示されるように、心耳Ａの厚さ寸法より大きく、長径の大きさは心耳Ａの最大幅寸法より大きく設定されている。また、結紮前のループ４ａの大きさは、心耳Ａの横断面積より十分に大きな面積を囲むことが可能な大きさに設定されている。心耳Ａの寸法、面積は術前の画像診断（Ｘ線ＣＴ、ＭＲＩ、超音波等）により測定される。
【００２０】
そして、結紮用ループ４の結び目４ｂは、扁平な環状のループ４ａの長径方向の端部近傍に配置されている。結紮のためにループシャフト３の基端側で結紮用ループ４を構成しているワイヤを牽引すると、ループシャフト３の先端側においては結紮用ループ４を構成しているワイヤがループシャフト３の内孔２内に引き込まれて、結び目４ｂがループシャフト３の先端に突き当たって止まるようになっている。
【００２１】
そして、その状態から、さらに結紮用ループ４を構成しているワイヤを牽引し続けることにより、結び目４ｂを通過しているワイヤが結び目４ｂに対して移動してループ４ａが緊縮されるように引き締められていくようになっている。
【００２２】
このように構成された本実施形態に係る心耳結紮用処置具１の作用について以下に説明する。
本実施形態に係る心耳結紮用処置具を用いて心耳Ａの根元を結紮するには、まず、剣状突起下部から体表組織および心膜を貫通して心嚢内にシースの先端開口を配置した状態で、結紮前の広げられた状態の結紮用ループ４を先端に保持した状態の心耳結紮用処置具１をシース内に挿入し、心嚢内に前進させていく。
【００２３】
心耳結紮用処置具１のループシャフト３はシースの形状に倣って湾曲しながら、心嚢内にスムーズに進行させられる。この状態で、別途心嚢内に挿入した内視鏡によって観察しながら、シースの基端側の体外において、ループシャフト３を操作して、図３に示されるように、ループシャフト３の先端を心耳Ａの先端に近接させる。必要に応じて、結紮用ループ４の結び目４ｂとは反対側の位置を、シースを介して心嚢内に別途導入された把持鉗子（図示略）で挟んで支持しながら、ループ４ａを心耳Ａに回し掛ける。
【００２４】
ループ４ａは扁平な環状に癖づけられているので、心耳Ａの横断面形状に近く、心耳Ａを変形させずにループ４ａの中に挿入することができる。そして、図４に示されるように、ループシャフト３を先端に向かって押すことにより、ループシャフト３の先端が心耳Ａの幅方向の端縁に沿って移動し、ループシャフト３によってループ４ａが引きずられるようにしてループ４ａ内に心耳Ａが挿入されていく。ループ４ａを挿入するための補助具として、別のシースを介して挿入した図示しない把持鉗子を用いて、結び目とは反対側の４ａを把持して、ループシャフト３を押してもよい。
【００２５】
すなわち、扁平な環状に癖づけられたループ４ａは、扁平な環状の横断面形状を有する心耳Ａに対してその位相を変化させることなく心耳Ａを内部に挿入させ続ける。これにより、扁平な環状のループ４ａの長径方向の端部近傍に配置されている結び目４ｂは、常に心耳Ａの幅方向の端部に配置されたままの状態でループ４ａ内に心耳Ａが挿入され、最終的に、ループ４ａの結び目４ｂは、心耳Ａの根元の幅方向の端部に配置される。
【００２６】
この時点で、それ以上のループ４ａ内への心耳Ａの挿入ができなくなるので、術者は、体外において、ループシャフト３の基端側から外側に延びている結紮用ループ４を構成するワイヤを外側に牽引することにより、図５に示されるように、ループシャフト３の先端側においてループ４ａを緊縮させる。
これにより、心耳Ａが根元において結紮され、平たい形状は幅方向に纏められることで厚さが増加するようになる。
【００２７】
このように、本実施形態に係る心耳結紮用処置具１によれば、扁平な環状に癖づけられたループ４ａにより、心耳Ａに回し掛ける際のループ４ａ内への心耳Ａの挿入容易性を向上することができる。また、結紮後には、結紮用ループ４の結び目４ｂは心耳Ａの幅方向の端部近傍に配置されるので、図６に示されるように、厚さの増した結紮後の心耳Ａによって心膜Ｂと心臓Ｃとの間に形成された隙間位置に結び目４ｂを配置することができ、結び目４ｂが周辺組織を刺激しないようにすることができるという利点がある。
【００２８】
なお、本実施形態においては、ループシャフト３の先端が心耳Ａの幅方向の端縁に沿って移動するように結紮用ループ４を回し掛ける場合について説明したが、これに代えて、図７に示されるように、ループシャフト３の先端が心耳Ａの幅方向の中央位置において、心耳Ａと心膜Ｂとの間の隙間を通って導入される手技を採用することにしてもよい。
この場合には、図８に示されるように、結紮用ループ４の結び目４ｂは、扁平な環状のループ４ａの短径方向の端部近傍に配置されていることが好ましい。
【００２９】
すなわち、図８に示されるように、ループシャフト３の先端が心耳Ａの幅方向の中央を通るルートに沿って心耳Ａの根元に向かう場合には、ループシャフト３の先端に配置された結び目４ｂに対して下側に、横方向に扁平なループ４ａが配置されていれば、ループ４ａの形状を心耳Ａの横断面に合わせることができ、ループ４ａ内への心耳Ａの挿入容易性を向上することができる。
【００３０】
ループシャフト３を押すことにより、ループ４ａがその扁平な環状の形態を保ったまま引きずられるようにして心耳Ａの根元まで移動させられる。そして、心耳Ａの根元まで到達したループシャフト３にさらに押圧力を付与すると、図９に示されるようにループシャフト３の先端は、ループ４ａを心耳Ａの周方向に回しながら、心耳Ａの幅方向の端部まで移動して停止する。
【００３１】
この状態で、結紮用ループ４を構成しているワイヤをループシャフト３の基端側において牽引することにより、ループ４ａを緊縮して心耳Ａを結紮し、結紮用ループ４の結び目４ｂを心耳Ａの幅方向の端部に配置して結紮を終了することができる。すなわち、結び目４ｂが心耳Ａの幅方向の端部近傍に残されるので、結び目４ｂによって周辺組織が刺激されにくくすることができる。
【００３２】
また、本実施形態においては、ループシャフト３と結紮用ループ４とからなる心耳結紮用処置具１を例示して説明したが、これに代えて、図１０に示されるように、ループシャフト３の先端に押し当て部５を備えていてもよい。押し当て部５は、ループシャフト３側から先端に向かって分岐する２本の直棒状の接触部６を有する二股形状を有している。
【００３３】
ループシャフト３は曲がり癖を有し、自由状態においては図１０に示されるように、先端の押し当て部５をループシャフトの長手軸に対して交差する方向に向けるようになっている。
２つの接触部６は、心耳Ａを厚さ方向に挟むことができる間隔を空けて配置されている。
【００３４】
また、結紮用ループ４は扁平な環状に癖づけられたループ４ａを備え、結び目４ｂは、ループ４ａの長径方向の端部近傍に配置されている。
そして、この場合には、結び目４ｂは、２つの接触部６の二股形状の分岐点近傍に配置されている。
【００３５】
このように構成された心耳結紮用処置具１によれば、２つの接触部６によって心耳Ａを厚さ方向に挟みながら、心耳Ａをループ４ａ内に挿入してループ４ａを心耳Ａの根元まで移動させる際に、扁平な環状に癖づけられたループ４ａ内を同様に扁平な横断面の心耳Ａをスムーズに挿入していくことができる。
押し当て部５およびループ４ａを心耳Ａに配置した状態でループシャフト３を挿入方向に移動させ、心耳Ａを挟んだ２つの接触部６を心房側に押し当てることにより、心耳Ａの根元近傍が露出する。露出した心耳Ａの根元近傍にループ４ａを配置することにより、できるだけ心耳Ａの根元側を結紮することが可能となる。
また、２つの接触部６が心耳Ａの厚さ方向の表面を凹ませるので、結紮時に緊縮されるループ４ａが心耳Ａの先端側に外れにくくすることができ、より確実に根元近傍で心耳Ａを結紮することができる。
【００３６】
さらに、このとき、２つの接触部６が心耳Ａを厚さ方向に挟む位置に配置されている押し当て部５の二股形状の分岐点は、図１１に示されるように、心耳Ａの幅方向の端部に配置されているので、分岐点近傍に配置されている結び目４ｂも心耳Ａの幅方向の端部に位置している。したがって、結紮後の結び目４ｂの位置も心耳Ａの幅方向の端部に位置することとなるので、周辺組織を刺激しにくい位置に結び目４ｂを配置した状態で結紮を終了することができる。
【００３７】
押し当て部５としては固定式のものを採用してもよいし、接触部６間の間隔を変更可能な開閉式のものを採用してもよい。接触部６間の間隔を広げて心耳Ａの挿入容易性を向上し、接触部６間の間隔を狭めて間に心耳Ａを挟み、心耳Ａの表面を凹ませることができる。
【符号の説明】
【００３８】
Ａ  心耳
１  心耳結紮用処置具
２  内孔
３  ループシャフト
４  結紮用ループ
４ａ  ループ
４ｂ  結び目
５  押し当て部
６  接触部
【図１】
2015163174.tif 000003
【図２】
2015163174.tif 000004
【図３】
2015163174.tif 000005
【図４】
2015163174.tif 000006
【図５】
2015163174.tif 000007
【図６】
2015163174.tif 000008
【図７】
2015163174.tif 000009
【図８】
2015163174.tif 000010
【図９】
2015163174.tif 000011
【図１０】
2015163174.tif 000012
【図１１】
2015163174.tif 000013